(57)【要約】【課題】通気孔を備えた鼻隠し化粧板を鼻隠しに取り付けて構成される軒先構成体において、鼻隠しの下方の換気室の形状の改良と加熱発泡材の取り付け位置の選定により、換気機能を低下させることなく、火災時には外気の通気路が確実に遮断されるようにして家屋の防災性能を高める。【解決手段】通気孔５３を有する鼻隠し化粧板５と仕切り部材６とで鼻隠し下方に屋根裏空間３に通じた換気室７を形成する。換気室７内は仕切り部材６で外気上流側と下流側に区画し、且つ通気孔６５で連通し、各通気孔５３，６５に近接する下流側に加熱発泡材８，８を配置する。【選択図】図１
2019073878.tif 000002
【特許請求の範囲】
【請求項１】
鼻隠しの前面に重なる前側面部と前側面部の下端から鼻隠しの下方へ張り出した下側面部を有する鼻隠し化粧板を鼻隠しに取り付けて、鼻隠しの下方に屋根裏空間に通じる換気室を形成し、前記鼻隠し化粧板の前側面部に形成された通気孔から換気室内に進入した外気が屋根裏空間へ流入するように構成された軒先構成体であって、
前記換気室内が、換気室内の空間を上下に仕切る横仕切り面部と前後に仕切る縦仕切り面部を交互に複数配置してなる仕切り部材によって外気の流入経路の上流側の空間と下流側の空間に区画され、且つ前記縦仕切り面部の内の少なくとも一の縦仕切り面部に形成された通気孔によって上流側と下流側の空間を連通させてあるとともに、
前記鼻隠し化粧板に形成された通気孔に近接する当該化粧板の下側面部上面と、前記縦仕切り面部に形成された通気孔に近接する横仕切り面部の上面に加熱発泡材がそれぞれ取り付けられた構成を有することを特徴とする軒先構成体。
【請求項２】
鼻隠しの前面に重なる前側面部と前側面部の下端から鼻隠しの下方へ張り出した下側面部を有する鼻隠し化粧板を鼻隠しに取り付けて、鼻隠しの下方に屋根裏空間に通じる換気室を形成し、前記鼻隠し化粧板の前側面部に形成された通気孔から換気室内に進入した外気が屋根裏空間へ流入するように構成された軒先構成体であって、
前記換気室内が、換気室内の空間を上下に仕切る横仕切り面部と前後に仕切る縦仕切り面部を交互に複数配置してなる仕切り部材によって外気の流入経路の上流側の空間と下流側の空間に区画され、且つ前記横仕切り面部の内の少なくとも一の横仕切り面部に形成された通気孔によって上流側と下流側の空間を連通させてあるとともに、
前記鼻隠し化粧板に形成された通気孔に近接する当該化粧板の下側面部上面と、前記通気孔が形成された横仕切り面部と上下に対向配置されたに横仕切り面部の上面に加熱発泡材がそれぞれ取り付けられた構成を有することを特徴とする軒先構成体。
【請求項３】
仕切り部材は、その前端部に鼻隠し化粧板とともに鼻隠しの前面に固定される固定面部、後端部に家屋の外壁に固定されて前記鼻隠し化粧板の下側面部の端部を支持する支持面部をそれぞれ備え、換気室内に取り付けた状態で鼻隠し化粧板の下側面部の上方に、横仕切り面部で仕切られた前後方向に伸びた通気路と縦仕切り面部で仕切られた上下方向に伸びた通気路を連ねてなる断面逆Ｌ字形の通気路を形成するように設けられたことを特徴とする請求項１又は２に記載の軒先構成体。
【請求項４】
鼻隠し化粧板の下側面部上面に取り付けられた加熱発泡材の直上であって前側面部に形成された通気孔と対面する位置に、仕切り部材の固定面部の下端部から後方へ屈曲した横仕切り面部が配置された構成を有することを特徴とする請求項１から３の何れかに記載の軒先構成体。
【請求項５】
仕切り部材が、その固定面部と支持面部間の幅を拡張し得るように形成された請求項１から４の何れかに記載の軒先構成体。
【発明の詳細な説明】
【技術分野】
【０００１】
本発明は、軒先の鼻隠しに通気孔を備えた鼻隠し化粧板を取り付け、通気孔を通して家屋の屋根裏の空間を換気することができるように構成された軒先構成体に関する。
【背景技術】
【０００２】
鼻隠し化粧板に通気孔を設けて屋根裏の空間を換気することができるようにした軒先構成体として、例えば図１０に示されるように、鼻隠し１００に取り付けられる鼻隠し化粧板１０１の取り付け面部１０２の下端部を後方へ屈曲して鼻隠し１００の下方に換気室１０３を形成し、この換気室１０３の前面に通気孔１０４を設けて外気が換気室１０３内を通って屋根裏空間１０５へと流入するように設けるとともに、換気室１０３内に当該室内の上方の空間を前後に仕切る遮蔽板１０６を配置し、この遮蔽板１０６の下端部に加熱発泡材１０７を装着して、火災発生時に加熱発泡材１０７が膨張することで換気室１０３内の通気路を遮断し、屋根裏空間１０５に火炎や熱風が入り込むことを防ぐようにした構造のものが知られている。
【０００３】
図示した軒先構成体によれば、通気孔１０４から外気を取り入れて屋根裏空間１０５を十分に換気することができ、火災の際には熱を受けて膨張した加熱発泡材１０７が換気室１０３内の通気路を遮断することで通気孔１０４からの外気の流入を遮断し、火炎や熱風が屋根裏へと入り込んで家屋が延焼することを効果的に防止することが可能である（例えば特許文献１，２参照）。
【先行技術文献】
【特許文献】
【０００４】
【特許文献１】特開２００９−１１４７１８号公報
【特許文献２】特開２０１０−１５０８７９号公報
【発明の開示】
【発明が解決しようとする課題】
【０００５】
近時、軒の出がない或いは軒の出を短く納めた、いわゆる「軒ゼロ住宅」が広く採用されてきている。「軒ゼロ住宅」は都市部の市街地などの狭小地に建てられる家屋への採用が比較的多い。そのような住宅密集地域では、火災が起きたときに出火元の家屋から隣接する家屋に火が燃え広がって被害を拡大させやすいことから、隣接する家屋との間に庭や植栽用の空間を確保することのできる郊外に建てる家屋よりも、家屋の防火性能が高いことが必要とされる。
【０００６】
前述の軒先構成体は、屋根裏空間を換気する機能と火災時に外気と火炎を遮断する機能はともに良好であるものの、これを住宅密集地域の「軒ゼロ住宅」の家屋に適用する場合、両機能をより向上させた構造に設けられていること、とりわけ火災時には通気孔から屋根裏空間に至る通気路を確実に短時間で遮断することのできる構造に設けられていることが、当該家屋の防火性能を高める上で肝要である。
【０００７】
前記軒先構成体における火災時の通気路遮断機能を高める方策としては、例えば熱せられた外気を受けて膨張する加熱発泡材の設置量を多くしたり、通気路を狭くし或いは通気孔の数を減らしたりすることが考えられる。
然しながら、前者の単に加熱発泡材の設置量を多くしただけでは、設置位置が適切でないと、換気機能を低下させたり膨張するのに時間を要したりしてしまうことにもなりかねず、後者では換気機能が損なわれることは明らかである。また、通気路上に適切な量の加熱発泡材が設置されていたとしても、これを取り囲む通気路の内面形状、つまり換気室の形状によっては、膨張した加熱発泡材と換気室内面の間に隙間ができるなどして、通気孔から流入する外気の遮断が不十分となる虞もある。
火災時の通気路の遮断をより確実にするには、通気路内面を形成する換気室の形状を改良した上で加熱発泡材の設置位置の精査が必要である。また、狭小地に建てられることと相俟って軒先構成体を取り付ける軒先部分の工事は簡易な作業で行える構造とする必要がある。
【０００８】
本発明は従来の技術が有するこのような問題点に鑑み、屋根裏空間を換気するための通気孔を備えた鼻隠し化粧板を鼻隠しに取り付けて構成される軒先構成体において、鼻隠しの下方に設ける換気室の形状の改良と加熱発泡材の取り付け位置の選定により、換気機能を低下させることなく、火災時には外気の通気路が確実に遮断されるようにして家屋の防災性能を高めることを課題とする。
また、本発明は、換気機能及び火災時に外気と火炎の進入を阻止する機能がともに良好な軒先構成体を、「軒ゼロ住宅」の軒先に簡易な工事で取り付けることができるようにすることを課題とする。
【課題を解決するための手段】
【０００９】
前記課題を解決するため本発明は、鼻隠しの前面に重なる前側面部と前側面部の下端から鼻隠しの下方へ張り出した下側面部を有する鼻隠し化粧板を鼻隠しに取り付けて、鼻隠しの下方に屋根裏空間に通じる換気室を形成し、前記鼻隠し化粧板の前側面部に形成された通気孔から換気室内に進入した外気が屋根裏空間へ流入するように構成された軒先構成体であって、
前記換気室内が、換気室内の空間を上下に仕切る横仕切り面部と前後に仕切る縦仕切り面部を交互に複数配置してなる仕切り部材によって外気の流入経路の上流側の空間と下流側の空間に区画され、且つ前記縦仕切り面部の内の少なくとも一の縦仕切り面部に形成された通気孔によって上流側と下流側の空間を連通させてあるとともに、
前記鼻隠し化粧板に形成された通気孔に近接する当該化粧板の下側面部上面と、前記縦仕切り面部に形成された通気孔に近接する横仕切り面部の上面に加熱発泡材がそれぞれ取り付けられた構成を有することを特徴とする。
【００１０】
また、本発明は、前記換気室内が、換気室内の空間を上下に仕切る横仕切り面部と前後に仕切る縦仕切り面部を交互に複数配置してなる仕切り部材によって外気の流入経路の上流側の空間と下流側の空間に区画され、且つ前記横仕切り面部の内の少なくとも一の横仕切り面部に形成された通気孔によって上流側と下流側の空間を連通させてあるとともに、
前記鼻隠し化粧板に形成された通気孔に近接する当該化粧板の下側面部上面と、前記通気孔が形成された横仕切り面部と上下に対向配置されたに横仕切り面部の上面に加熱発泡材がそれぞれ取り付けられた構成を有することを特徴とする。
【００１１】
これによれば、鼻隠し化粧部板に形成された通気孔から外気が換気室内に進入し、さらに仕切り部材に形成された通気孔を通って屋根裏の空間へと流入する。外気の流入により、屋根裏空間内で空気が滞留することを防ぎ、当該空間内に流入してきた外気によって換気することができる。
換気室内が仕切り部材によって、外気流入経路の上流側と下流側の空間、つまり鼻隠し化粧板に形成された通気孔に面する空間と屋根裏空間へと通じる空間の二つの空間に区画されているので、強風時に通気孔から外気が換気室内に勢いよく進入しても、仕切り部材に衝突して勢いが削がれるため、流入した外気が屋根裏の空間まで一気に入り込むようなことはない。
また、鼻隠し化粧板に形成された通気孔に近接した位置に加熱発泡材が取り付けられ、さらに仕切り部材に形成された通気孔に近接した位置にも加熱発泡材が取り付けられ、換気室内の通気路上に少なくとも二つの加熱発泡材が取り付けてあるので、隣接する家屋に火災が発生し、それによる火炎や熱風が通気孔から換気室内に進入したときには、熱せられた各加熱発泡材が膨張することで屋根裏の空間に通ずる通気路が完全に遮断され、火炎や熱風が換気室内から屋根裏へ入り込むことを防止して家屋が延焼することを防ぐことができる。加熱発泡材は、鼻隠し化粧板に形成された通気孔から換気室を通じて屋根裏空間に至る通気路に沿って、少なくとも二つを適宜な間隔を空けて配置することが好ましい。換気機能を損なわず且つ材料コストが嵩まなければ三つ以上を配置してもよい。
【００１２】
前記構成の軒先構成体において、仕切り部材は、その前端部に鼻隠し化粧板とともに鼻隠しの前面に固定される固定面部、後端部に家屋の外壁に固定されて前記鼻隠し化粧板の下側面部の端部を支持する支持面部をそれぞれ備え、換気室内に取り付けた状態で鼻隠し化粧板の下側面部の上方に、横仕切り面部で仕切られた前後方向に伸びた通気路と縦仕切り面部で仕切られた上下方向に伸びた通気路を連ねてなる断面逆Ｌ字形の通気路を形成するように設けられていることが好ましい。
これによれば、鼻隠し化粧板に形成された通気孔から換気室に進入した外気は、換気室の上流側の空間内で、前後方向に伸びた通気路に流入し、横仕切り面部の表面を伝って換気室後方へと流れ、そのまま前後方向の通気路に続く上下方向に伸びた通気路に流入し、縦仕切り面部の表面を伝って上昇し、縦仕切り面部に形成された通気孔を通って換気室の下流側の空間に進入し、さらに上昇して屋根裏の空間へと流入する。
すなわち、換気室の上流側の通気路が、ジグザグ状或いはクランク状に屈曲した断面逆Ｌ字形の複雑な経路に設けられ、外気が換気室内を通って屋根裏空間に到達するまでに時間を要するようになっている。そのため、火災の際に熱せられた外気が換気室内に進入しても、前記複雑な経路を通って屋根裏空間に流入するまでに時間を要し、高温な外気を受けて膨張する加熱発泡材により通気路が完全に遮断される前に、外気が通気路を通って一気に屋根裏空間へと流入することはなく、熱風や火炎が屋根裏へ入り込むことを確実に防ぐことができる。
【００１３】
前記構成の軒先構成体において、鼻隠し化粧板の下側面部上面に取り付けられた加熱発泡材の直上であって前側面部に形成された通気孔と対面する位置に、仕切り部材の固定面部の下端部から後方へ屈曲した横仕切り面部が配置された構成を有することが好ましい。
これによれば、換気室への外気の進入口である通気孔に近接して取り付けられた加熱発泡材の直上に仕切り部材の横仕切り面部を配置して、加熱発泡材上方の外気の通気路を狭めてあるので、火災時に流入する熱せられた外気は、加熱発泡材上の狭い通路を通過して加熱発泡材の表面に接する。狭い通路を通過することで加熱発泡材を熱する外気の密度が大きくなり、多量の外気が加熱発泡材に接して加熱せしめ、加熱発泡材を短時間で効率的に膨張させて、外気の進入口となる通気路を確実に遮断することが可能である。
【００１４】
また、前記構成の軒先構成体において、仕切り部材は、出幅の異なる軒先への取り付けに対応できるように、その固定面部と支持面部間の幅を拡張し得るように形成してあることが好ましく、また、部材コストを安価にし、家屋の軒先に簡易な工事で取り付けることができるようにするため、一枚の鋼板を折り曲げ加工するなどして形成されていることが好ましい。
【図面の簡単な説明】
【００１５】
【図１】本発明の一実施形態の軒先構成体を取り付けた家屋の軒先の断面構成図である。
【図２】図１の鼻隠し化粧板の通気孔を形成した部分の拡大図である。
【図３】図１の仕切り部材の側面図である。
【図４】図３の仕切り部材を出幅の大きな軒先に取り付ける場合のその固定面部と支持面部間を拡張した状態の図である。
【図５】本発明の他の実施形態の軒先構成体を取り付けた家屋の軒先の断面構成図である。
【図６】同じく他の実施形態の軒先構成体を取り付けた家屋の軒先の断面構成図である。
【図７】同じく他の実施形態の軒先構成体を取り付けた家屋の軒先の断面構成図である。
【図８】同じく他の実施形態の軒先構成体を取り付けた家屋の軒先の断面構成図である。
【図９】同じく他の実施形態の軒先構成体を取り付けた家屋の軒先の断面構成図である。
【図１０】従来の軒先構成体を取り付けた家屋の軒先の断面構成図である。
【発明を実施するための形態】
【００１６】
以下、本発明の好適な実施の形態を、図面を参照して説明する。
図１は、本発明の一実施形態の軒先構成体を取り付けた家屋の軒先の断面を示しており、これは軒の出がない軒先に鼻隠しを覆う化粧板を取り付け、化粧板の前面に形成された通気孔を通して屋根裏空間の換気を行えるように構成されたものであり、図中、符番１は鼻隠し、２は家屋の外壁、３は屋根裏空間、４は軒先構成体を示している。
【００１７】
図示した形態の軒先構成体４は、鼻隠し１に取り付けられる鼻隠し化粧板５と、鼻隠し化粧板５の外壁２側の端部を支持して鼻隠し１の下方に屋根裏空間３に通じる換気室７を形成するとともに、換気室７の内部を外気の流入経路の上流側と下流側の二つの空間に区画して仕切る仕切り部材６を備えて構成してある。
鼻隠し化粧板５と仕切り部材６は、ともに軒先（水平）方向に沿った長さの長尺な部材であり、例えば表面を塩化ビニル樹脂で覆うなどの耐蝕加工が施された被覆鋼板や、耐蝕性を有する材質のもの、或いは亜鉛鋼板などの耐火性を有する材質のものからなる長尺の鋼板をベンダーなどで長手方向に沿って折り曲げて形成してある。
【００１８】
鼻隠し化粧板５は、鼻隠し１の前面を覆う前側面部５１の下端に外壁２側へ垂直に折れて鼻隠し１の下方へ張り出した下側面部５２を設けるとともに、前側面部５１の下部に換気室７に通じる通気孔５３を形成してある。
【００１９】
詳しくは、前側面部５１は、鼻隠し１の前面に重なって当該前面を覆うとともにビスや釘などの固着具９を打ち込んで固定される取り付け面部５１ａと、鼻隠し１よりも下方へ張り出した取り付け面部５１の下端から斜め下方へ突出した水切り面部５１ｂと、水切り面部５１ｂの下部から前記取付け面部５１ａと平行に下方へ張り出した垂下面部５１ｃとの各面部を有して形成され、垂下面部５１ｃ内に軒先方向に沿って適宜な間隔を空けて通気孔５３を多数列設してある。
【００２０】
下側面部５２は、前記垂下面部５１ｃの下端から外壁２側へ垂直に折れて鼻隠し１の下方を覆う下部被覆面部５２ａと、下部被覆面部５２ａの端部から上方へ直角に折れた上方折れ面部５２ｂの両面部を有して形成されており、前記垂下面部５１ｃに形成された通気孔５３に近接した下部被覆面部５２ａの上面には軒先に沿った長さの帯状の加熱発泡材８を接着固定して取り付けてある。
【００２１】
前記垂下面部５１ｃに形成された通気孔５３は、図２に示されるように、垂下面部５１ｃの表面を上下縁が当該垂下面部５１ｃに結合し、且つ左右縁を分断して換気室７が面する後方側へ陥没させた打ち抜き加工によって形成されており、陥没した部分の両側と垂下面部５１ｃ表面との隙間が通気孔５３となっている。
【００２２】
仕切り面部６は、その前端部に鼻隠し１の前面に接合して鼻隠し化粧板５の前側面部５１とともに固定される固定面部６１、後端部に外壁２に接合して固着具９により固定される支持面部６２を備え、両面部の間に換気室７内の空間を上下に仕切る横仕切り面部６３と前後に仕切る縦仕切り面部６４を交互に複数配置した形状に設けてある。
【００２３】
詳しくは、図１及び図３に示されるように、仕切り部材６は、その固定面部６１が鼻隠し１に取り付けられたときに鼻隠し１の前面下端よりも下方へ突出する長さ（高さ）に設けられ、固定面部６１の下端から後方へ横仕切り面部６３が略直角に折れ、この横仕切り面部６３の後端から上方へ縦仕切り面部６４が略直角に折れ、さらにこの縦仕切り面部６４の上端から後方へ横仕切り面部６３、縦仕切り面部６４及び横仕切り面部６３が順次連なって支持面部６２に至る形状に設けられ、前記固定面部６１の下端から折れた横仕切り面部６３の上面に加熱発泡材８を接着固定して取り付け、この横仕切り面部６３の後端から折れた縦仕切り面部６４に通気孔６５を形成してある。前記支持面部６２の端部は前方へ適宜な長さ張り出し、その先端部を適宜な幅だけ上面に折り重ねてある。
【００２４】
また、本形態の仕切り部材６は、図３に示されるように、一枚の鋼板を折り曲げ加工により、固定面部６１と支持面部６２の間に横仕切り面部６３と縦仕切り面部６４を交互に配置して、恰も山部と谷部を交互に配置した蛇腹形の側面視形状を呈するように形成してあるので、図４に示されるように、自身の弾性を利用して固定面部６１と支持面部６２間の幅をある程度伸長させることが可能であり、出幅が大きな軒先に前記固定面部６１と支持面部６２間の幅を伸長させて取り付けることで、屋根の勾配が異なる家屋の軒先に対応して取り付けることができるようになっている。
【００２５】
仕切り部材６は、その固定面部６１が鼻隠し化粧板５の前側面部５１とともに鼻隠し１の前面に、支持面部６２が外壁２にそれぞれ取りつけられ、鼻隠し化粧板５の下側面部５２を支持面部６２上に重ねて上方折れ面部５２ｂを支持面部６２上に差し入れることで、鼻隠し化粧板５の後端部が支持面部６２に接続して支持されるように設けてあり、鼻隠し化粧板５と仕切り部材６の支持面部６２が鼻隠し１の下方で一続きになることで、屋根裏空間３に通じていて内部が仕切り部材６により二つの空間に仕切られた換気室７を鼻隠し１の下方に形成し、鼻隠し化粧板５の前面に設けた通気孔５３から外気を換気室７内に取り入れ、取り入れた外気が仕切り部材６に形成された通気孔６５を通って屋根裏空間３へと流入し、これにより屋根裏空間３が換気されるようになっている。
【００２６】
また、図１に示されるように、換気室７内が仕切り部材６により仕切られた状態で、鼻隠し化粧板５の下側面部５２の上方に、横仕切り面部６３で仕切られた前後方向に伸びた通気路と、縦仕切り面部６４で仕切られた上下方向に伸びた通気路の通気路を連ねてなる断面逆Ｌ字形の通気路が形成され、通気孔５３から換気室７内に進入した外気は、換気室７の上流側で前後方向に伸びた通気路に流入し、横仕切り面部６３の表面を伝って換気室７後方へと流れ、そのまま前後方向の通気路に続く上下方向に伸びた通気路に流入し、縦仕切り面部６４の表面を伝って上昇し、縦仕切り面部６４に形成された通気孔６５を通って換気室７の下流側の空間に進入し、さらに上昇して屋根裏空間３へと流入し、外気が換気室７内を通って屋根裏空間３に到達するまでに時間を要するように設けてある。
【００２７】
また、図１に示されるように、換気室７内が仕切り部材６により仕切られた状態で、鼻隠し化粧板５の下側面部５２上面に取り付けられた加熱発泡材８の直上であって前側面部５１に形成された通気孔５３と対面する位置に、仕切り部材６の固定面部６１の下端部から後方へ屈曲した横仕切り面部６３が配置され、前記加熱発泡材８の上方の通気路が下方へ張り出した横仕切り面部６３によって狭められるように設けてある。
【００２８】
これらの部材により構成される本形態の軒先構成体４の軒先への取り付けは、先ず、仕切り部材６の固定面部６１を鼻隠し１の前面に接合して仮固定した状態、支持面部６２を外壁２に接合し、取り付け位置を調整したならば、支持面部６２を固着具９で外壁２に留め付けて固定する。
【００２９】
次いで、鼻隠し化粧板５の前側面部５１を鼻隠し１に仮固定された仕切り部材６の固定面部６１に重ねるとともに、下側面部５２先端の上方折れ面部５２ｂを前記支持面部６２の上方に差し入れて下側面部５２の後端部を支持面部６２に接続し、鼻隠し１の前面に重なり合った仕切り部材６の固定面部６１と鼻隠し化粧板５の前側面部５１を、固着具９を打ち込んで鼻隠し１に固定することで、軒先構成体４の取り付けが完了する。その後、屋根を工事し、鼻隠し化粧板５の前側面部５１に雨樋を取り付けるなどして家屋の軒先廻りの造作が完了する。
【００３０】
本形態の軒先構成体４によれば、鼻隠し化粧板５に形成された通気孔５３から外気が換気室７内に進入し、さらに仕切り部材６に形成された通気孔６５を通って屋根裏空間３へと流入し、外気の流入により屋根裏空間３内で空気が滞留することを防ぎ、当該空間内に流入してきた外気によって換気することができる。
換気室７内が仕切り部材６によって外気流路の上流側と下流側の空間に区画されているので、強風時に通気孔５３から外気が換気室７内に勢いよく進入しても、仕切り部材６に衝突して勢いが削がれるため、流入した外気が屋根裏空間３まで一気に入り込むようなことはない。
【００３１】
また、鼻隠し化粧板５に形成された通気孔５３に近接した位置に加熱発泡材８が取り付けられ、また、仕切り部材６の縦仕切り面部６４に形成された通気孔６５に近接した、横仕切り面部６３の上面にも加熱発泡材８が取り付けられているので、隣接する家屋に火災が発生し、それによる火炎や熱風が通気孔５３から換気室７内に進入したときには、両加熱発泡材８が流入外気の熱を受けて膨張することで通気孔５３と通気孔６５をそれぞれ塞ぎ、屋根裏空間３に通ずる換気室７内の外気の通気路を確実に遮断して、火炎や熱風が換気室７から屋根裏空間３へ入り込むことを確実に防止して家屋が延焼することを防ぐことが可能である。
【００３２】
この場合、換気室７内の外気上流側の通気路は、断面逆Ｌ字形の複雑な経路に設けられているので、外気が換気室７内を通って屋根裏空間３に到達するまでに時間を要し、高温な外気を受けて膨張する加熱発泡材８，８により通気路が完全に遮断される前に、外気が通気路を通って一気に屋根裏空間３へと流入することはない。また、通気孔５３の近傍に取り付けられた加熱発泡材８は、その上方に仕切り部材６の横仕切り面部６３が位置し、当該加熱発泡材８上方の外気の通気路を狭めてあるので、通気孔５３から進入する熱せられた外気を受けて短時間で膨張せしめられ、通気孔５３を効率的且つ短時間で塞ぐことが可能である。
【００３３】
図５は本発明の他の実施形態の軒先構成体４を取り付けた家屋の軒先の断面を示しており、これは、仕切り部材６を横仕切り面部６３，６３が上下に対向して配置されるように形成するとともに、上側の横仕切り面部６３に通気孔６５を形成し、これと近接する下側の横仕切り面部６３の上面に加熱発泡材８を接着固定して取り付けたものである。
【００３４】
図６は同じく他の実施形態の軒先構成体４を取り付けた家屋の軒先の断面を示しており、これは、仕切り部材６の略中央に横仕切り面部６３，６３の端部から下方へ屈曲した一対の縦仕切り面部６４，６４を配置し、後方側の縦仕切り面部６４に通気孔６５を形成し、両縦仕切り面部６４，６４の下端に接続した横仕切り面部６３の上面に加熱発泡材８を接着固定して取り付けたものである。
【００３５】
図７は同じく他の実施形態の軒先構成体４を取り付けた家屋の軒先の断面を示しており、これは、仕切り部材６の前側に横仕切り面部６３，６３の端部から上方へ屈曲した一対の縦仕切り面部６４，６４を配置し、両縦仕切り面部６４，６４に通気孔６５、６５をそれぞれ形成するとともに、それぞれの両側の横仕切り面部６３，６３の上面に加熱発泡材８，８をそれぞれ接着固定して取り付けたものである。
【００３６】
図８は同じく他の実施形態の軒先構成体４を取り付けた家屋の軒先の断面を示しており、これは、仕切り部材６の後方寄りに配置した縦仕切り面部６４に後方へ開口した通気孔６５を形成し、その後方に連なる横仕切り面部６３の上面に加熱発泡材８を接着固定して取り付けたものである。
【００３７】
図９は同じく他の実施形態の軒先構成体４を取り付けた家屋の軒先の断面を示しており、これは、仕切り部材６の略中央に配置した縦仕切り面部６４に後方へ開口した通気孔６５を形成し、その後方に段差を変えて連なる横仕切り面部６３，６３の上面に加熱発泡材８，８をそれぞれ接着固定して取り付けたものである。
【００３８】
これら各形態の軒先構成体４によっても、鼻隠し化粧板５に形成された通気孔５３と、仕切り部材６に形成された通気孔６５により、屋根裏空間３に通じる通気路が換気室７内に形成され、通気孔５３から進入した外気を、通気路を通して屋根裏空間３へと流入させ、当該空間を換気することが可能である。
また、隣接する家屋に火災が発生し、それによる火炎や熱風が通気孔５３から換気室７内に進入したときには、通気孔５３の間近に取り付けられた加熱発泡材８が膨張し、また、仕切り部材６の通気孔６５の間近に取り付けられた加熱発泡材８が流入外気の熱を受けて膨張することで通気路を遮断し、火炎や熱風が換気室７から屋根裏空間３へ入り込むことを確実に防止して家屋が延焼することを防ぐことが可能である。
【００３９】
なお、図示した形態は、軒先構成体の実施形態を例示したものであり、本発明はこれらに限定されず、他の適宜な形態に構成することが可能である。
【符号の説明】
【００４０】
１  鼻隠し、２  外壁、３  屋根裏空間、４  軒先構成体、５  鼻隠し化粧板、５１  前側面部、５２  下側面部、５３  通気孔、６  仕切り部材、６１  固定面部、６２  支持面部、６３  横仕切り面部、６４  縦仕切り面部、６５  通気孔、７  換気室、８  加熱発泡材、９  固着具
【図１】
2019073878.tif 000003
【図２】
2019073878.tif 000004
【図３】
2019073878.tif 000005
【図４】
2019073878.tif 000006
【図５】
2019073878.tif 000007
【図６】
2019073878.tif 000008
【図７】
2019073878.tif 000009
【図８】
2019073878.tif 000010
【図９】
2019073878.tif 000011
【図１０】
2019073878.tif 000012